(57)【特許請求の範囲】
【請求項１】
本体内に回転する吸湿器と凝縮器とを有し、凝縮器の外部を流れる通路と、吸湿器の吸湿部と、送風ファンとで吸湿経路を構成し、再生ヒータと、吸湿器の再生部と、再生ファンと、凝縮器の内部を流れる通路とで再生経路を構成する除湿機において、再生経路の再生空気温度が異常な高温になると、再生ヒータ、再生ファンおよび吸湿器の駆動を停止し、送風ファンだけを駆動することを特徴とする除湿機。
【発明の詳細な説明】
【０００１】
【発明の属する技術分野】
本発明は、回転式除湿材等を備えた除湿機に関するものである。
【０００２】
【従来の技術】
従来の除湿機、例えば、回転式除湿材を備えた除湿機は図１２及び図１３に示すように構成するものであり、図１２及び図１３において、３は湿度交換器（以下除湿ローターと称す）であり、その湿度交換器３は駆動モーター等よりなる駆動機構（図示しない）にて回転駆動される。
【０００３】
この除湿ローター３の吸湿部３１に湿った被除湿空気３２を吹き込み水分を吸湿剤に吸着させて除湿し乾燥された空気３３とし、他方除湿ローター３の水分を吸着した吸湿剤に再生ヒーター３４で加熱され高温となった再生空気３５を送り込み、吸湿剤を加熱して水分を取り出して吸湿剤を再生し、暖かく湿った再生空気３６をとりだすことができる。
【０００４】
この吸湿剤に水分を吸着させる吸湿部３１と、水分を吸着した吸湿剤を加熱して水分を吐き出させ、再生する再生部３７とは、回転している除湿ローター３に湿った被除湿空気３２と再生ヒーター３４で加熱され高温となった再生空気３５を吹き込む位置がその再生部３７になるだけで、特に除湿ローター３に仕切りがあるわけではなく、除湿ローター３は繰り返し連続的に使用できる。
【０００５】
吸湿した除湿ローター３の吸湿剤を再生させるため、電気ヒーターである再生ヒーター３４にて再生空気を２００°Ｃ〜２５０°Ｃに加熱した後、除湿ローター３に再生ファン８により送風し、加熱された再生空気３５は除湿ローター３の吸湿剤から水分を受け取り、暖かく湿った空気３６となり、凝縮器４にて冷却され、水分を結露させて排出する。結露水９は水受タンク１０に導かれる。
【０００６】
その水受タンク１０の結露水を貯水する貯水タンク１２は蓋（図示しない）を開けて収納し、蓋を閉めると揚水ポンプ１１の駆動回路のスイッチがＯＮし、水受タンク１０に備えた水位を検知するフロートスイッチ（図示しない）が、水受けタンク１０の所定の水位を検知すると、この水受けタンク１０に備えられている揚水ポンプ１１を運転し、揚水パイプ１３を経て、蓋に併設されている給水口（図示しない）より、貯水タンク１２の開閉弁（図示しない）を経て、結露水９を貯水タンク１２に貯える。
【０００７】
また、除湿能力を上げるために一定の熱量が必要となり、その熱源としての再生ヒーター３４は、主に電気ヒーターを使用して再生空気温度を加温しているので、再生ファン８や除湿ローター３の駆動モータが回転しなくなったときは、再生経路の再生空気温度が異常に高温になるので、過熱防止サーミスタなどで各部の温度上昇を防ぐ安全装置があり、温度が上昇したときにはこの安全装置が動作して除湿運転を停止するシーケンスになっている。
【０００８】
【発明が解決しようとする課題】
上記のように構成してなる従来の除湿機であれば、除湿運転時に、再生ファンモータや除湿ローターの駆動モータが何らかの故障で、回転しなくなったときに、再生経路の再生空気温度が異常に高温になり、過熱防止サーミスタや温度ヒューズなどの安全装置が作動して、除湿運転を停止させるが、再生経路の再生ファンや除湿ローターおよび除湿経路の除湿ファンは回転しているため、除湿運転を停止していても、再生経路の再生ヒーター以後の再生空気温度が高い温度になっているために、この高い再生空気温度が除湿ローターの再生部に送りこまれてくるので、除湿ローターの再生部の前後の周辺部品の除湿ローターの枠や仕切板などの樹脂製部品が高い再生空気温度の熱によって変形をきたす恐れがある。
【０００９】
本発明は、これらのことを鑑み、故障や異常状態が発生しても主要部品や樹脂製部品の熱による変形をなくし、復帰しても支障なく運転ができる除湿機を提供するものである。
【００１０】
【課題を解決するための手段】
本発明の除湿機は上記課題を解決するために、本体内に吸湿器と凝縮器とを有し、凝縮器の外部を流れる通路と、吸湿器の吸湿部と、送風ファンとで吸湿経路を構成し、再生ヒータと、吸湿器の再生部と、再生ファンと、凝縮器の内部を流れる通路とで再生経路を備えた除湿機において、再生ファンの故障等により、再生経路の再生空気温度が異常な高温になると、再生経路の空気の流れを停止する手段を備えてなることを特徴とするものである。
【００１１】
また、再生経路の空気の流れを停止する手段が送風手段を停止する手段であることを特徴とするものである。
【００１２】
そして、再生経路の空気の流れを停止する手段の動作時に吸湿経路の送風ファンだけを回転することを特徴とするものである。
【００１３】
さらに、再生経路の空気の流れを停止する手段が再生ヒータ及び再生ファンを停止する手段であることを特徴とするものである。
【００１４】
【発明の実施の形態】
以下、本発明の除湿機の実施の形態について図面とともに説明するが、上記従来例と、同じもの又は同等の機能のものについては、特に記載したものを除き、同じ符号を付して説明する。
【００１５】
図１は本発明の実施の形態に係る除湿機の全体構成の説明図、図２は本発明の実施の形態に係る除湿機の主要構成の側面図、図３は本発明の実施の形態に係る除湿機の主要構成の正面図、図４は本発明の実施の形態に係る除湿機の除湿ローターの構成図、図５は図４の除湿ローターのＡ−Ａ線の断面図、図６は本発明の実施の形態に係る除湿機の再生加熱部構造周辺の構成斜視図である。
【００１６】
図７は本発明の実施の形態に係る除湿機の再生部周辺の構成斜視図、図８は本発明の実施の形態に係る除湿機の再生加熱部の構成図、図９は本発明の実施の形態に係る除湿機の制御シーケンス、図１０は本発明の実施の形態に係る除湿機の揚水ポンプの駆動回路図、図１１は本発明の実施の形態に係る除湿機の揚水ポンプの駆動パルスの説明図である。
【００１７】
図４及び図５に示すように、除湿ローター３は、エレメント４０と、ローター枠４１と、枠押え４２と、回転軸押え４３とから構成されており、その除湿ローター３のエレメント４０は、ダンボール紙などの帯状のシート状基材にゼオライト（吸湿剤）を溶かした溶剤を含浸して担持させた帯状平面シートの表面に、同じく基材にゼオライト等の吸湿剤を含浸担持させた帯状平面シートからなる高さ１ｍｍ〜１．５ｍｍ程度に波付け加工した波形シートを接着して一体化した片波成形体を巻回し、ローターにしたものである。
【００１８】
また、上記ローター枠４１は、図５に示すように、回転軸４４と外枠４５と、その両方を結ぶ格子状の抜き穴を形成した面とがつながり、外枠４５の表面には除湿ローター３の駆動モータ１８の回転力を伝達するベルトをかけるＶ字形の溝が形成されている。
【００１９】
そして、除湿ローター３は、ローター枠４１の凹状部分に、エレメント４０を嵌め込み、回転軸４４に回転軸押え４３を、外枠４５には枠押え４２を螺子で固定して組み立てが完了する。
【００２０】
また、再生ファン８は、図１乃至図８に示すように熱回収熱交換器５より再生空気を吸入し、ステンレス板金のケース６からなる再生ファン送風ダクト構造２３、再生ヒーター３４を通して、除湿ローター３の再生部３７に加熱された再生空気３５を送風するものである。
【００２１】
この再生ファン送風ダクト構造２３のケース６の側面にある開口部２１に送り込まれた再生空気は図８に示すように、矢示Ｂと矢示Ｃの２つに分流し、矢示Ｂ側は遮熱板２２のパンチング穴を通過して、矢示Ｃ側は遮熱板２２のパンチング穴を通過後、再生ヒーター３４にて加熱されて、それぞれ除湿ローター３の再生部３７に送風される。再生ヒーター３４は２００Ｗのヒーターと、３００Ｗのヒーターとからなり、２００Ｗ、３００Ｗ、５００Ｗと、除湿能力に応じてワット数を切替える。
【００２２】
そして、凝縮器４、熱回収熱交換器５は共に、半透明のポリプロピレン樹脂を用いたブロー成型品であり、半透明であるから、凝縮器４や熱回収熱交換器５の内部で再生空気が結露している様子が外部から目視で確認できる。
【００２３】
次に除湿機の構造を図１乃至図７により説明する。
【００２４】
各構成部品は吸湿剤を担持した除湿ローター３、この除湿ローター３に再生空気３５を送る再生ファン８の取り付け部、再生ヒーター３４、再生ファン送風ダクト構造１のステンレス板金からなるケース６、除湿ローター３を回転させる駆動モーター１８、除湿ファン１６、貯水タンク１２、貯水タンクの着脱時にガイドとなるタンクガイド等一部の構造を除き、大半は樹脂成型品で構成し、凝縮器４、熱回収熱交換器５等も通常なら金属製であるが、樹脂成型品で構成して製品重量の軽減化に努めている。
【００２５】
そして、底板１３には、図２に示すように、仕切り板１４を立てて、製品構造の基本とし、この仕切り板１４の前方、後方、上方にそれぞれ機能部品を配置して、頑丈でコンパクトな除湿機としている。
【００２６】
上記仕切り板１４と再生ボックス１７とで除湿ローター３を両側から挟み込み、仕切り板１４の中央部の軸に、除湿ローター３を軸支し、除湿ローター３を回転駆動する駆動モーター１８は再生ボックス１７に取り付けられ、除湿ローター３の外周には歯車を設け、この歯車にベルトをかけ、駆動モーター１８のギアで減速された回転軸からの動力で除湿ローターはゆっくりと回転する。
【００２７】
そして、図６に示すように、仕切り板１４に、除湿ローター３と、熱回収熱交換器５と、再生ファン８と、内部に再生ヒーター３４を組み込み、ケース６を備えた再生ファン送風ダクト構造２３とを、それぞれ固定した状態を本体後部側から見た斜視図を示している。
【００２８】
上記除湿ローター３の再生部３７を通過した再生空気３６は再生ボックス１７にて漏斗のように１箇所に集められ、凝縮器４の再生空気取入口に送り込まれ、除湿ローター３の前方には、凝縮器４を再生ボックス１７に固定し、凝縮器４の前方には、着脱可能なフィルター７、グリル２６を備えた製品前面の外観部となる前板２４を設け、前板２４は底板２５を挟んで後板２７に固定している。
【００２９】
また、送風機仕切り板４６には、除湿ファン１５のモーター４７を固定し、このモーター軸にシロッコファン４８を装着する。そして、送風機仕切り板４６は除湿ファン１５のシロッコファン４８のファンケーシングの一部を構成し、後板２７に構成されているシロッコファン４８（除湿ファン１５）のファンケーシングの一部とで、嵌合させてシロッコファン４８のファンケーシングを構成したものである。
【００３０】
そして、除湿ファン１６の送風により、室内から被除湿空気３２を吸い込み、グリル１６のフィルター７で粗いゴミを除き、凝縮器４を冷却し暖かくて湿気を含んだ再生空気３６を凝縮し、結露水９として水分を取り出すと共に、除湿ローター３の除湿部３１にて被除湿空気３２の水分を吸湿剤に吸収させて乾燥空気３３とし、除湿ローター３で暖められた熱を熱回収熱交換器５にて再生空気に回収し、後板２７の上部にある吹出口３０から乾燥空気３３を室内へ吹き出す。
【００３１】
上記除湿ローター３は駆動モーター２３で回転されており、被除湿空気３２が通過する除湿部３１と熱風３５が通過する再生部３７は少しづつ回転移動しており、吸湿してもまた再生され、連続的に使用可能である。また、吸湿した除湿ローター３の吸湿剤を再生させるため、電気ヒーターである再生ヒーター３４にて再生空気３５を２００°Ｃ〜２５０°Ｃに加熱した後、除湿ローター３に再生ファン８により送風する。
【００３２】
そして、加熱された再生空気３５は除湿ローター３の吸湿剤から水分を受け取り、暖かく湿った空気３６となり、凝縮器４にて冷却され、水分を結露させて排出して、結露水９が水受タンク１０に導かれる。また、水受タンク１０には水位を検知するフロートスイッチ（図示しない）を備え、所定の水位を検知すると、備えられている揚水ポンプ１１を運転し、揚水チューブ１８を経て貯水タンク１２に結露水９を蓄える。
【００３３】
そして、揚水ポンプ１１は、図１０及び図１１に示すように、マイクロコンピュータ２８からの出力パルス信号により、第１トランジスタ３８をＯＮ／ＯＦＦすることにより第２トランジスタ３９をＯＮ／ＯＦＦして駆動回路を動作させ揚水ポンプ１１を動作させて、水受けタンクの１０水を吸い上げて貯水タンク１２に溜める。
【００３４】
このときの揚水ポンプ１１を駆動させるために与えるパルスを、運転初期に、通常の除湿運転時のパルス幅１０．２４ｍｓｅｃを１５．０ｍｓｅｃにし、周期１４９．５ｍｓｅｃは変えずに１秒間だけ揚水ポンプ１１を動作させ、それ以後は通常の除湿運転のパルス幅で動作させることにより、揚水ポンプ１１の摺動部の動きがスムーズになり、微細なごみなども排出される。
【００３５】
従って、貯水タンクに水を送る揚水ポンプの駆動回路で運転初期のパルス幅を大きくすることにより、摺動部の固着やごみ溜まりをなくすことができる。そのために、例えば、長期間運転されずに保管されていたとき、揚水ポンプの摺動部の動きが一時的に停止する恐れを防止することができる。
【００３６】
また、除湿運転時に、万一、再生ファン８が回らなかったり、除湿ローター３の駆動モータ１８の故障などで除湿ローター３が回らなかったりしたときには、再生経路の再生空気温度が異常に高温になり、除湿ローター３の再生部近傍にある再生ボックス１７に取付けられている過熱防止サーミスタ２９が高温の再生空気を検知して、除湿運転を停止する。
【００３７】
そして、この除湿運転が停止したときに、図９に示すように、吸湿経路の除湿ファン１６のみが回って、再生経路の再生ヒータ３４はＯＦＦ状態、再生ファン８と除湿ローター３も停止するために、再生経路の高温の再生空気が除湿ローター３側へ流れないので、除湿ローター３の枠や周辺部の樹脂製部品の熱による変形を防止することができる。
【００３８】
なお、本発明は、上記実施の形態に限定されるものでない。
【００３９】
【発明の効果】
本発明に係る除湿機は、本体内に吸湿器と凝縮器とを有し、凝縮器の外部を流れる通路と、吸湿器の吸湿部と、送風ファンとで吸湿経路を構成し、再生ヒータと、吸湿器の再生部と、再生ファンと、凝縮器の内部を流れる通路とで再生経路を備えた除湿機において、万一、再生ファンや除湿ローターが故障して停止したときに、再生経路の再生空気温度が異常な高温になり、その高温の再生空気温度を検知して除湿運転を停止し、再生経路の再生ヒータをＯＦＦ、送風手段の再生ファンや除湿ローターを停止させ、再生空気の流れをストップし、吸湿経路の送風ファンだけを回転する制御方法にすることにより、除湿ローターの再生部に高温の再生空気が送り込まれることなく、除湿ローター周辺の除湿ローターの枠や仕切板などの樹脂部品の熱による変形を防止ができる。
【図面の簡単な説明】
【図１】本発明の実施の形態に係る除湿機の全体構成の説明図である。
【図２】本発明の実施の形態に係る除湿機の主要構成の側面図である。
【図３】本発明の実施の形態に係る除湿機の主要構成の正面図である。
【図４】本発明の実施の形態に係る除湿機の除湿ローターの構成図である。
【図５】図４の除湿ローターのＡ−Ａ線の断面図である。
【図６】本発明の実施の形態に係る除湿機の再生加熱部構造周辺の構成斜視図である。
【図７】本発明の実施の形態に係る除湿機の再生部周辺の構成斜視図である。
【図８】本発明の実施の形態に係る除湿機の再生加熱部の構成図である。
【図９】本発明の実施の形態に係る除湿機の制御シーケンスの説明図である。
【図１０】本発明の実施の形態に係る除湿機の揚水ポンプの駆動回路図である。
【図１１】本発明の実施の形態に係る除湿機の揚水ポンプの駆動パルスの説明図である。
【図１２】従来の除湿ローターを用いた回転式空気除加湿システムの説明図である。
【図１３】従来の除湿機の全体構成説明図である。
【符号の説明】
１  本体
２  蓋
３  除湿ローター
４  凝縮器
５  熱回収熱交換器
６  ケース
７  フィルター
８  再生ファン
９  結露水
１０  水受タンク
１１  揚水ポンプ
１２  貯水タンク
１３  揚水パイプ
１４  仕切板
１５  給水口
１６  除湿ファン
１７  再生ボックス
１８  駆動モーター
２１  開口部
２２  遮熱板
２３  再生ファン送風ダクト構造
２４  前板
２５  底板
２６  グリル
２７  後板
２８  マイクロコンピュータ
２９  過熱防止サーミスタ
３０  吹出口
３１  吸湿部
３２  被除湿空気
３３  乾燥された空気
３４  再生ヒータ
３５  高温の再生空気
３６  湿った再生空気
３７  再生部
３８  第１トランジスタ
３９  第２トランジスタ
【図１】
0003634971.tif 000002
【図２】
0003634971.tif 000003
【図３】
0003634971.tif 000004
【図４】
0003634971.tif 000005
【図５】
0003634971.tif 000006
【図６】
0003634971.tif 000007
【図７】
0003634971.tif 000008
【図８】
0003634971.tif 000009
【図９】
0003634971.tif 000010
【図１０】
0003634971.tif 000011
【図１１】
0003634971.tif 000012
【図１２】
0003634971.tif 000013
【図１３】
0003634971.tif 000014